(57)【要約】      （修正有）【課題】安定して固定されることが可能なトランスデューサの筐体を提供する。【解決手段】圧電素子３を配置するための筐体であって、端面１１と、端面１１から凹んで圧電素子３を収容できるように陥設された収容空間１２とを有する本体１を備えており、端面１１が張り出して延伸して本体１の一端周囲にフランジ部２が形成されており、フランジ部２は、互いに平行するようにフランジ部２の一延伸方向両端に位置する第１および第２の側辺２１、２１を有することを特徴とする筐体を提供する。【選択図】図１
0003184910.tif 000002
【実用新案登録請求の範囲】
【請求項１】
圧電素子を配置するための筐体であって、
端面と、該端面から凹んで前記圧電素子を収容できるように陥設された収容空間とを有する本体を備えており、
前記端面が張り出して延伸して前記本体の一端周囲にフランジ部が形成されており、
前記フランジ部は、互いに平行するように該フランジ部の一延伸方向両端に位置する第１および第２の側辺を有することを特徴とする圧電素子配置用筐体。
【請求項２】
前記フランジ部は、前記第１および第２の側辺の各一端同士と各他端同士をそれぞれ繋ぐ第３の側辺および第４の側辺を有していることを特徴とする請求項１に記載の圧電素子配置用筐体。
【請求項３】
前記端面に陥設されており、前記圧電素子と電気的に連結されるピンを挿入するためのピン受け孔を有していることを特徴とする請求項１または２に記載の圧電素子配置用筐体。
【考案の詳細な説明】
【技術分野】
【０００１】
本考案は、圧電素子配置用筐体に関し、詳しくは圧電素子をその内側に配してトランスデューサとして用いるための筐体に関する。
【背景技術】
【０００２】
特許文献１には、超音波トランスデューサが開示されている。一般に、超音波トランスデューサは、円柱状に形成され且つ一端に円状のフランジ部が設けられた筐体を有しており、その筐体を、所望の設置箇所に設けられ且つ円柱状の収容孔を有する受け座に嵌入させると共に、該フランジが該収容孔の周囲部分に係止されることで固定させている。
【先行技術文献】
【特許文献】
【０００３】
【特許文献１】国際公開第２００８／０４７７４３号パンフレット
【考案の概要】
【考案が解決しようとする課題】
【０００４】
しかしながら、上記のような筐体では、筐体を受け座の収容孔に嵌入させ且つフランジにより係止させても、該フランジは円状に形成されているので、長期間使用するうちに例えば振動などで筐体が受け座内で回転しやすく、これによりトランスデューサと他の機材とを接続している電線がねじれたり引っ張られたりすることで損壊してしまうという問題点がある。
【０００５】
本考案は、このような問題点に鑑みてなされたものであり、安定して固定されることが可能なトランスデューサの筐体の提供を目的とする。
【課題を解決するための手段】
【０００６】
上記目的を達成するための手段として、本考案は、以下のように圧電素子配置用筐体を構成し、提供する。
【０００７】
即ち、本考案は、圧電素子を配置するための筐体であって、端面と該端面から凹んで前記圧電素子を収容できるように陥設された収容空間とを有する本体を備えており、前記端面が張り出して延伸して前記本体の一端周囲にフランジ部が形成されており、前記フランジ部は、互いに平行するように該フランジ部の一延伸方向両端に位置する第１および第２の側辺を有することを特徴とする圧電素子配置用筐体を提供する。
【０００８】
また、本考案に係る筐体においては、前記フランジ部が、前記第１および第２の側辺の各一端同士と各他端同士をそれぞれ繋ぐ第３の側辺および第４の側辺を有していることが好ましい。
【０００９】
さらに、前記端面に陥設されており、前記圧電素子と電気的に連結されるピンを挿入するためのピン受け孔を有していることが好ましい。
【考案の効果】
【００１０】
上記構成の圧電素子配置用筐体によれば、前記フランジ部が互いに平行する第１および第２の側辺を有しているので、フランジ部と形状対応する収容孔を有する受け座に嵌め入れた際に、筐体が不意に回転することなく、固定が安定している。
【図面の簡単な説明】
【００１１】
【図１】本考案に係る圧電素子配置用筐体の一実施形態を示す斜視図である。
【図２】本考案に係る圧電素子配置用筐体の一実施形態を示す平面図である。
【図３】図２のIII‐III線による縦断面図である。
【考案を実施するための形態】
【００１２】
以下、添付図面を参照しながら、本考案の具体的な実施形態を仔細に説明する。
【００１３】
図１〜図３は、本考案に係る圧電素子配置用筐体の一実施形態を示しており、その内、図１は斜視図、図２は上方から見た平面図、図３は図２におけるIII‐III線で切った縦断面図である。本考案に係る筐体は、圧電素子をその内部に配置して例えば超音波トランスデューサとして用いるためのものであり、本実施形態においては、本体１と、フランジ部２とを有している。
【００１４】
本体１は、略円柱状に形成されており、その高さ方向（図１における上下方向）の一端に該高さ方向と略直交する径方向に延伸している端面１１を有している。
【００１５】
本体１における端面１１側には、本体１の内側に向かって端面１１から凹んで圧電素子３を収容するための収容空間１２が形成されている。
【００１６】
また、本体１には、収容空間１２から外れた位置に端面１１から凹んでピン受け孔１３が形成されている。ピン受け孔１３は、圧電素子３と電気的に連結させたい他の素子と繋がるピン（図示せず）を挿入するために設けられたものであり、前記ピンがピン受け孔１３に挿入されると、本体１を介して圧電素子３と電気的に連結される。このようにピン受け孔１３を設けることにより、本考案に係る筐体を用いれば、超音波トランスデューサの組み立てにかかる時間を短縮できる。
【００１７】
フランジ部２は、本体１の端面１１が上述した径方向に沿って張り出すように延伸して端面１１の周囲に形成されている。また、フランジ部２は、その一延伸方向の両端に互いに平行する第１および第２の側辺２１、２１を有しており、且つ、第１および第２の側辺それぞれの同方向側に位置する一端同士と、第１および第２の側辺それぞれの同方向側に位置する他端同士とが、それぞれ第３および第４の側辺２２、２２により繋がれている。つまり、第１および第２の側辺２１、２１と第３および第４の側辺２２、２２とは、図２に示されているように平面視において矩形を成すように構成されている。
【００１８】
このようにフランジ部２が設けられていることにより、本考案に係る圧電素子配置用筐体を、該筐体と形状対応する収容孔を有する受け座（図示せず）に、フランジ部２が形成されている端と反対の端から嵌入させると、本体１が該収容孔に収められると共に、フランジ部２が該収容孔の開口部分に設けられフランジ部２と形状対応する係合溝（図示せず）に引っ掛かることで、筐体の固定が果たされる。
【００１９】
またこの際に、フランジ部２および上記係合溝が、それぞれ円状ではなく例えば本実施形態のように矩形状に形成されているので、筐体が受け座内で回転することなく、固定が安定している。故に、本考案に係る筐体を超音波トランスデューサの筐体として用いれば、従来の例のように、筐体のフランジ部と受け座の係合溝とが円状に形成されていることにより筐体が受け座内で回転してしまいトランスデューサと他の機材とを接続している電線がねじれたり引っ張られたりすることで損壊してしまうという問題点が解消されるので、トランスデューサの使用寿命を伸ばすことができる。
【００２０】
以上、本考案の好ましい実施形態を説明したが、本考案はこれに限定されるものではなく、その要旨を逸脱しない範囲で種々変更可能であることはいうまでもない。
【００２１】
例えばフランジ部２の形状は、第１および第２の側辺２１、２１が平行であればよいので、図示のように矩形ではなく台形に構成したり、六角形に構成したりしてもよい。
【符号の説明】
【００２２】
１    本体
１１  端面
１２  収容空間
１３  ピン受け孔
２    フランジ部
２１  第１、第２の側辺
２２  第３、第４の側辺
３    圧電素子
【図１】
0003184910.tif 000003
【図２】
0003184910.tif 000004
【図３】
0003184910.tif 000005